(57)【要約】【課題】  新ＲＭＰ方式のようにＢＣＡＳカード用いない放送方式においても、サーバ装置等の装置を追加することなく有料放送を可能とする。【解決手段】  電子マネー機能を持ったＩＣカードを用い、有料放送視聴料の決済および、放送に施されるスクランブルの解除を行うことで、サーバ装置等を追加することなしに有料放送を実施することが可能とする。【選択図】  図６
2009260791.tif 000002
【特許請求の範囲】
【請求項１】
有料放送番組の送信を行う送信装置と、有料放送番組を受信する受信装置と、有料放送視聴料金の決済を行う情報端末とからなる有料放送の放送システムであって、
前記送信装置はさらに、放送信号に暗号化を施す第一の暗号手段と、該第一の暗号手段により用いられる第一の暗号鍵に暗号化を施す第二の暗号手段と、該第二の暗号手段により用いられる第二の暗号鍵に暗号化を施す第三の暗号手段と、該第三の暗号手段により生成された暗号化情報を契約情報として送信する契約情報送信手段とを備え、
前記情報端末はさらに、前記第三の暗号手段により施された暗号を復号する第一の復号手段を備え、
前記受信装置はさらに、前記第一の復号手段により復号された第二の暗号鍵を取得する取得手段と、該第二の暗号鍵を用いて前記第二の暗号手段により施された暗号を復号する第二の復号手段と、該第二の復号手段により復号された第一の暗号鍵を用いて前記第一の暗号手段により施された暗号を復号する第三の復号手段と、前記送信手段により送信された前記契約情報を受信する契約情報受信手段とを備えることを特徴とする有料放送の放送システム。
【請求項２】
前記情報端末は該端末を一意に識別可能な識別子を記憶する識別子記憶手段と、有料放送視聴料金の決済を行う際に該識別子を通知する識別子通知手段とを備えることを特徴とする請求項１に記載の有料放送の放送システム。
【請求項３】
有料放送視聴料金の決済に電子マネー情報を記憶するＩＣカードを用いることを特徴とする請求項１または請求項２のいずれかに記載の有料放送の放送システム。
【請求項４】
前記ＩＣカードは、前記第二の暗号鍵を記憶する暗号鍵記憶手段と、前記契約情報を記憶契約情報記憶手段とを備えることを特徴とする請求項１〜請求項３のいずれかに記載の有料放送の放送システム。
【請求項５】
前記第二の暗号鍵を前記ＩＣカードの前記暗号鍵記憶手段へ書き込む暗号鍵書き込み手段を備えることを特徴とする請求項１〜請求項４のいずれかに記載の有料放送の放送システム。
【請求項６】
前記受信装置は、前記契約情報を前記ＩＣカードの前記契約情報記憶手段へ書き込む契約情報書き込み手段と、前記ＩＣカードに記憶された前記第二の暗号鍵を読み出す暗号鍵読み出し手段とを備えることを特徴とする請求項１〜請求項５のいずれかに記載の有料放送の放送システム。
【発明の詳細な説明】
【技術分野】
【０００１】
本発明はデジタル放送の放送システムに関し、特にＩＣカードを用いて有料放送の視聴料金の決済の行う放送システムに関する。
【背景技術】
【０００２】
従来、衛星や地上波を用いたデジタル放送において、ＢＣＡＳ（ＢＳ  Ｃｏｎｄｉｔｉｏｎａｌ  Ａｃｃｅｓｓ  Ｓｙｓｔｅｍ）カードを用いた有料放送が行われている。従来行われている有料放送においては、有料放送の視聴履歴を受信機で蓄積しておき、蓄積された視聴履歴とＢＣＡＳカードＩＤを電話回線等を通して送信することで後日まとめて料金精算を行う方式や、予めＢＣＡＳカードＩＤを登録することで視聴契約を行い、放送局から登録済のＢＣＡＳカードＩＤに対して視聴可能である旨を表す情報を送信し、視聴を許可する方式が行われている。
【０００３】
ところで、電波産業会の標準規格である「デジタル放送におけるアクセス制御方式」（ＡＲＩＢ  ＳＴＤ  Ｂ−２５  Ｖｅｒ５．１）第３部「受信時の制御方式（コンテンツ保護方式）」で新しい方式のコンテンツ保護方式が追加規格化されている。以下、この規格を新ＲＰＭ方式と呼ぶ。新ＲＭＰ方式においては、従来地上波デジタル放送の視聴にも必要であったＢＣＡＳカードが不要となり、新しいコンテンツ保護方式が用いられる。以下、新ＲＭＰ方式におけるコンテンツ保護方式について説明する。
【０００４】
図８は新ＲＭＰ方式におけるコンテンツ保護方式を表す模式図である。図８において、左半分は暗号化を施す放送局を、右半分は復号を施す受信機を表している。放送局はコンテンツデータをスクランブル鍵でスクランブルを施した暗号化コンテンツ、スクランブル鍵をワーク鍵で暗号化した情報を含むＥＣＭ（Ｅｎｔｉｔｌｅｍｅｎｔ  Ｃｏｎｔｒｏｌ  Ｍｅｓｓａｇｅ）、ワーク鍵をデバイス鍵で暗号化したワーク鍵設定ＥＭＭ（Ｅｎｔｉｔｌｅｍｅｎｔ  Ｍａｎａｇｅｍｅｎｔ  Ｍｅｓｓａｇｅ）、デバイス鍵生成情報を含むデバイス鍵設定ＥＭＭを時分割で多重化して送信する。受信機は受信したデータを暗号化コンテンツ、ＥＣＭ、ワーク鍵設定ＥＭＭ、デバイス鍵設定ＥＭＭに分離する。デバイス鍵設定ＥＭＭには、受信機に固有のデバイス鍵生成アルゴリズムによりデバイス鍵を生成することのできる情報が含まれており、放送局が各受信機に合わせたデバイス鍵設定ＥＭＭを生成、送信し、受信機は自機向けのデバイス鍵設定ＥＭＭをデバイス鍵生成アルゴリズムに通すことによりデバイス鍵を得る。ワーク鍵設定ＥＭＭはデバイス鍵により復号可能であり、放送局が各受信機のデバイス鍵で復号可能なワーク鍵を含むワーク鍵設定ＥＭＭを生成、送信し、受信機は自機向けのワーク鍵設定ＥＭＭを復号することでワーク鍵を得る。ＥＣＭは全受信機に共通の情報であり、ワーク鍵を用いて復号可能である。ＥＣＭを復号して得られるスクランブル鍵は暗号化コンテンツをデスクランブル（スクランブルを解除する操作）することが可能であり、スクランブル鍵を使用して番組のコンテンツデータを復号することができる。つまり、受信機側では、デバイス鍵→ワーク鍵→スクランブル鍵の順に鍵を生成、使用することで番組のコンテンツを視聴可能となる。
【０００５】
以上説明したように、新ＲＭＰ方式ではコンテンツ保護のためにＢＣＡＳカードが用いられない。また、個々の受信機にはメーカーＩＤおよび機種ＩＤが割り振られるが、個別の機体を判別するためのＩＤは付与されないために個別認証を行うことができず、従来のＢＣＡＳカードを用いた有料放送と同様の仕組では有料放送を行うことができない。
【０００６】
ＢＣＡＳカードを用いない有料放送の課金システムとしては、従来いくつかの方法が提案されている。例えば特許文献１では、電子マネーを用いて視聴料金の決済を行い、ＰＣ等の情報機器を用いてインターネット経由で視聴権データをＩＣカードへ書き込み、ＩＣカードに書き込まれた視聴権データを受信機へ取り込むことで視聴の可否を判定する方法が提案されている。
【特許文献１】特開２０００−３２６４４号公報
【発明の開示】
【発明が解決しようとする課題】
【０００７】
しかしながら、特許文献１の方法はインターネット等のネットワークを介して視聴権データを取得する仕組であるため、有料放送を行う放送事業者側に視聴権データの送信要求を受付、送信要求の正当性をチェックし、正当な送信要求に対して視聴権データを送信するためのサーバ装置が必要となり、放送事業者にとって負担となる。
【課題を解決するための手段】
【０００８】
上記の問題を解決するために本発明の有料放送の放送システムは以下の構成を備える。すなわち、有料放送番組の送信を行う送信装置と、有料放送番組を受信する受信装置と、有料放送視聴料金の決済を行う情報端末とから構成され、前記送信装置はさらに、放送信号に暗号化を施す第一の暗号手段と、該第一の暗号手段により用いられる第一の暗号鍵に暗号化を施す第二の暗号手段と、該第二の暗号手段により用いられる第二の暗号鍵に暗号化を施す第三の暗号手段と、該第三の暗号手段により生成された暗号化情報を契約情報として送信する契約情報送信手段とを備え、前記情報端末はさらに、前記第三の暗号手段により施された暗号を復号する第一の復号手段を備え、前記受信装置はさらに、前記第一の復号手段により復号された第二の暗号鍵を取得する取得手段と、該第二の暗号鍵を用いて前記第二の暗号手段により施された暗号を復号する第二の復号手段と、該第二の復号手段により復号された第二の暗号鍵を用いて前記第一の暗号手段により施された暗号を復号する第三の復号手段と、前記送信手段により送信された前記契約情報を受信する契約情報受信手段とを備えることを特徴とする。
【発明の効果】
【０００９】
本発明によれば、新ＲＭＰ方式のデジタル放送においても、サーバ装置等の追加の装置を必要とせず、有料放送を実現することができる。
【発明を実施するための最良の形態】
【００１０】
次に、本発明の詳細を実施例の記述に従って説明する。
【００１１】
以下、本発明の最良の形態について図面を参照して説明する。
【実施例１】
【００１２】
図１は本発明の実施例に係る有料放送課金システムの概略を模式的に表したブロック図である。図１において、デジタル放送の受信装置１０１はＩＣカード１０２内のデータを読み書きするためのＩＣカードリーダー／ライターを介してＩＣカード１０２内のデータを読み書き可能に構成されている。ＩＣカードリーダー／ライターは、受信装置１０１に内蔵されていてもよいし、ＵＳＢ（Ｕｎｉｖｅｒｓａｌ  Ｓｅｒｉａｌ  Ｂｕｓ）等のバスを介して外部装置として受信装置１０１と接続されていてもよい。受信装置１０１の詳細については後述する。情報端末１０３は受信装置１０１と同様に、ＩＣカード１０２内のデータを読み書き可能に構成されている。また、情報端末１０３はインターネット等のネットワーク１０６を介して電子マネーシステム１０５と接続されている。情報端末１０３としてはＩＣカードリーダー／ライターを接続したＰＣ等の他にＩＣカードを内蔵した携帯電話等を用いることができる。放送装置１０４は、放送コンテンツにスクランブルを施したコンテンツ信号と、有料放送の視聴可否を表す契約情報、番組情報等を送信可能に構成されている。また、放送装置１０４はネットワークを介して電子マネーシステム１０５と接続され、有料放送視聴料金の決済情報を受信可能に構成されている。放送装置１０４の詳細については後述する。電子マネーシステム１０５は、情報端末端末１０３と通信を行い、有料放送視聴料金の決済を行う。
【００１３】
次に図２を用いて有料放送を視聴可能となるまでの処理フローを説明する。ユーザーは情報端末１０３を用いて視聴を希望する番組の視聴料金の決済を電子マネーシステム１０５に対して要求する（２０１）。この際、視聴を希望する番組に関する情報とともに、ＩＣカード１０２のＩＤおよび、受信機１０１の機種ＩＤを送信する。決済要求を受信した（２０２）電子マネーシステム１０５は、情報端末１０３と通信を行い、決済処理を行う（２０３）。決済処理は電子マネーシステムの提供する仕組で行うことが可能であり、情報端末としてＩＣカードを内蔵した携帯電話を用いる場合、例えばモバイルＥｄｙ等の決済方法を用いることができる。視聴料金の決済が完了すると、電子マネーシステム１０５は放送装置１０４に対して、決済処理が完了した旨を通知する（２０４）。この際、ステップ２０２で受信したＩＣカードＩＤおよび受信機の機種ＩＤを同時に通知する。決済完了通知を受信すると（２０５）放送装置１０４は受信したＩＣカードＩＤおよび機種ＩＤに特有の契約情報を生成する（２０６）。契約情報は図３に示すように、新ＲＭＰ方式においてワーク鍵の設定に用いられるワーク鍵設定ＥＭＭを、ＩＣカードＩＤを鍵として復号可能なように暗号化し、暗号化したワーク鍵設定ＥＭＭを可変部に含んだ形式のＥＭＭである。契約情報を表すＥＭＭのヘッダ部にＩＣカードＩＤを含むことで、受信機側ではＩＣカードＩＤを基に取得するべき契約情報を選択することが可能となる。次に放送装置１０４は、生成した契約情報をコンテンツデータ多重化して送信する（２０７）。受信装置１０１は、契約情報を受信すると（２０８）、ＩＣカード１０２に対して契約情報を送信し、ワーク鍵設定ＥＭＭの復号を依頼する（２０９）。契約情報を受信した（２１０）ＩＣカード１０２は、契約情報からワーク鍵設定ＥＭＭを復号し（２１１）、復号したワーク鍵設定ＥＭＭを受信装置１０１へ送信する（２１２）。受信装置１０１は、ワーク鍵設定ＥＭＭを受信すると（２１３）ワーク鍵設定ＥＭＭからデバイス鍵を用いてワーク鍵を取り出し、ワーク鍵を設定する（２１４）。ワーク鍵の設定が完了すると、有料放送番組に施されたスクランブルを解除するためのスクランブルキーを取得することが可能となるため、有料放送の視聴が可能となる（２１５）。
【００１４】
次に放送装置１０４の詳細について説明する。図４は放送装置１０４の構成を、本発明の実施例に関連する部分を中心に表した模式図である。コンテンツ管理部４０１は放送番組のコンテンツデータを管理しており、エンコード部４０２に対してコンテンツデータを供給する。エンコード部４０２はコンテンツ管理部４０１より供給されたコンテンツデータをＭＰＥＧ２（Ｍｏｔｉｏｎ  Ｐｉｃｔｕｒｅ  Ｅｘｐｅｒｔｓ  Ｇｒｏｕｐ  ｐｈａｓｅ  ２）等、定められた圧縮方式でエンコードする。契約情報管理部４０３は、電子マネーシステム１０５からの決済完了通知を受信し、契約情報を生成する。図５は、契約情報管理部４０３の概略を表すブロック図である。契約情報管理部４０３は、決済完了通知部５０１により電子マネーシステム１０５と接続されており、決済完了通知を受信する。決済完了通知受信部５０１は、決済完了通知を受信すると決済完了通知に含まれるＩＣカードＩＤおよび機種ＩＤを契約情報生成部５０２へ供給する。契約情報生成部５０２は、受け取った機種ＩＤに基づいてＥＭＭ管理部５０３へワーク鍵設定ＥＭＭを要求する。契約情報生成部５０２は、受け取ったワーク鍵設定ＥＭＭをＩＣカードＩＤを鍵として復号可能な形式で暗号化を施し、契約情報を生成する。ＥＭＭ管理部５０３は、スクランブル制御部４０５よりワーク鍵を、デバイス鍵管理部５０４より機種ＩＤに対応したデバイス鍵を受け取り、ワーク鍵設定ＥＭＭを生成し、契約情報生成部へ供給する。デバイス鍵管理部５０４は、機種ＩＤ毎に定められたデバイス鍵を管理しており、ＥＭＭ管理部からの要求に応じて、機種ＩＤに対応したデバイス鍵を供給する。多重化部４０４は、エンコード部４０２より供給されるコンテンツデータおよび、契約情報管理部４０４より供給される契約情報を時分割で多重化し、ＭＰＥＧ２−ＴＳ（Ｔｒａｎｓｐｏｒｔ  Ｓｔｒｅａｍ）形式等の定められた形式の放送ストリームを生成し、スクランブル部４０６へ供給する。スクランブル部４０６は、スクランブル制御部４０５の制御に基づき、多重化部より供給される放送ストリームの内、コンテンツデータに該当する部分に対してスクランブル処理を施し、スクランブル後の放送ストリームを送信部へ供給する。スクランブル処理に必要なスクランブル鍵はスクランブル制御部４０５より供給される。スクランブル制御部４０５は、コンテンツデータのスクランブルに用いられるスクランブル鍵、スクランブル鍵を送信するためのＥＣＭをスクランブルする際に用いられるワーク鍵を管理している。送信部４０７はスクランブル部４０６により供給される暗号化放送ストリームを放送波に乗せて送信する。
【００１５】
次に受信機１０１の詳細について説明する。図６は受信機１０１およびＩＣカード１０２の概略を模式的に表したブロック図である。ＩＣカードＩＤ記憶部６０８は、ＩＣカードの発行者により付与されたユニークなＩＣカードＩＤを記憶する。ワーク鍵設定ＥＭＭ復号部６０９は、ＩＣカードリーダー／ライター部６０４を介して受信した契約情報より、ワーク鍵設定ＥＭＭを復号する。ワーク鍵設定ＥＭＭの復号に用いる暗号鍵としてはＩＣカードＩＤを用いる。放送受信部６０１は、アンテナを介して入力されたデジタル放送信号を受信する。また、受信した信号に対して復調処理、誤り訂正処理等、デジタル放送規格により定められた処理を施してＴＳ信号を生成する。多重分離部６０２は、ＴＳ信号を映像信号／音声信号などのコンテンツ信号と、契約情報、ＥＣＭなどの制御信号とに分離する。コンテンツ信号は復号部６０６へ、制御信号のうち、契約情報は有料放送視聴管理部６０３へ、ＥＣＭは鍵管理部６０５へそれぞれ供給される。有料放送視聴管理部６０３は、ＩＣカードリーダー／ライター部６０４を介してＩＣカード１０２と通信可能であり、契約情報およびワーク鍵設定ＥＭＭの処理を行う。図７は有料放送視聴管理部６０３の処理フローを表すフローチャートである。有料放送視聴管理部６０３は、ユーザーから有料放送視聴の指示があるとまずＩＣカードと通信可能な状態となるのを待つ（７０１）。ＩＣカードと通信可能となると、ＩＣカードよりＩＣカードＩＤを取得する（７０２）。次に多重分離部６０２より供給される契約情報の中から、取得したＩＣカードＩＤに対応する契約情報を取得し（７０３）、ＩＣカードへ取得した契約情報を送信する（７０４）。次にＩＣカードによりワーク鍵設定ＥＭＭが送信されるのを待機する（７０５）。ワーク鍵設定ＥＭＭを受信すると、ワーク鍵設定ＥＭＭを鍵管理部６０５へ供給して（７０６）終了する。ＩＣカードリーダー／ライター部６０４は、有料放送視聴管理部６０３からの要求に応じてＩＣカード１０２と通信を行い、ＩＣカード１０２内のデータを取得／更新する。鍵管理部６０５は、受信機の機種毎に固有なデバイス鍵を管理しており、有料放送視聴管理部６０３により供給されるワーク鍵設定ＥＭＭよりワーク鍵を復号／管理する。また、多重分離部よりＥＣＭを受け取り、ワーク鍵を用いてスクランブル鍵を復号する。復号部６０６は、鍵管理部６０５により供給されるスクランブル鍵を用いて、コンテンツデータに施されたスクランブルを解除し、表示部６０７へコンテンツデータを供給する。表示部６０７は、コンテンツデータに基づき、コンテンツの内容を表示する。
【００１６】
以上説明してきたように、本発明によればＢＣＡＳカードを用いない新ＲＭＰ方式の放送においても、サーバ装置等の追加をすることなく有料放送を実現することが可能となる。
【図面の簡単な説明】
【００１７】
【図１】本発明の実施例１に係る放送システムの概略を表す模式図
【図２】本発明の実施例１に係る放送システムの処理フローを表すフロー図
【図３】本発明の実施例１に係る契約情報を表す模式図
【図４】本発明の実施例１に係る放送装置の概略を表すブロック図
【図５】契約情報管理部の概略を表すブロック図
【図６】本発明の実施例１に係る受信装置の概略を表すブロック図
【図７】有料放送視聴管理部の処理フローを表すフロー図
【図８】新ＲＭＰ方式のコンテンツ保護法式の概略を表す模式図
【符号の説明】
【００１８】
１０１  受信装置
１０２  ＩＣカード
１０３  情報端末
１０４  放送装置
１０５  電子マネーシステム
１０６  インターネット
４０１  コンテンツ管理部
４０２  エンコード部
４０３  契約情報管理部
４０４  多重化部
４０５  スクランブル制御部
４０６  スクランブル部
４０７  送信部
５０１  決済完了通知受信部
５０２  契約情報生成部
５０３  ＥＭＭ管理部
５０４  デバイス鍵管理部
６０１  放送受信部
６０２  多重分離部
６０３  有料放送視聴管理部
６０４  ＩＣカードリーダー／ライター部
６０５  鍵管理部
６０６  復号部
６０７  表示部
６０８  ＩＣカードＩＤ記憶部
６０９  ワーク鍵設定ＥＭＭ復号部
【図１】
2009260791.tif 000003
【図２】
2009260791.tif 000004
【図３】
2009260791.tif 000005
【図４】
2009260791.tif 000006
【図５】
2009260791.tif 000007
【図６】
2009260791.tif 000008
【図７】
2009260791.tif 000009
【図８】
2009260791.tif 000010